(57)【要約】  【課題】  本発明は、より簡単な作業でネジ回し用係止穴が潰れたネジを抜き取ることができる便利なネジ抜き用ビットを提供することを目的とする。  【解決手段】  ネジ抜き用ビット１は、柄２の先端部に、基端側から先端側に向かって漸次縮径しているテーパー状の先尖部５を先端に備えたネジ抜取部３を設け、このネジ抜取部３の外周面に、先尖部５の先端から基端側に向かって、柄２の長さ方向に延びる溝６を形成することで、溝６の内面とネジ抜取部３の外周面との交線を、木ネジ３０のねじ切方向とは逆方向の回転時に切削可能な切刃７にし、この切刃７に、ネジ抜取部３をネジ頭部３１中心部に所定の深さまで切りむと係止穴３２の内面部に引掛かり、木ネジ３０を供回りさせる切欠部８を設ける。【選択図面】  図１
2006102894.tif 000002
【特許請求の範囲】
【請求項１】
ネジ頭部のネジ回し用の係止穴が潰れたネジを抜き取るためのネジ抜き用ビットであって、柄の先端部に、基端側から先端側に向かって漸次縮径しているテーパー状の先尖部を先端に備えたネジ抜取部が設けられており、このネジ抜取部の外周面に前記先尖部の先端から基端側に向かって、前記柄の長さ方向に延びる溝が形成されて、この溝の内面と前記ネジ抜取部の外周面との交線が、前記ネジのねじ切方向とは逆方向の回転時に切削可能な切刃になっており、この切刃に、前記ネジ抜取部が前記ネジ頭部の中心部に所定の深さまで切り込まれると前記係止穴の内面部に引掛かることによって前記ネジを供回りさせる切欠部が設けられていることを特徴とするネジ抜き用ビット。
【請求項２】
前記ネジ抜取部の少なくとも前記先尖部の先端から前記切欠部までの外周面が、縦断面において両側が内側に向かって湾曲している先細りのテーパー状に形成されていることを特徴としている請求項１記載のネジ抜き用ビット。
【請求項３】
前記切刃になっている交線とは別の交線が、前記切刃の切削可能な回転方向とは逆方向に上り傾斜となるように前記溝が形成されていることを特徴とする請求項１または２記載のネジ抜き用ビット。
【発明の詳細な説明】
【技術分野】
【０００１】
本発明は、ねじ込まれた状態でネジ頭部のネジ回し用の係止穴が潰れているネジを抜き取るためのネジ抜き用ビットに関するものである。
【背景技術】
【０００２】
従来、ネジ頭部のネジ回し用の係止穴が潰れているネジを抜き取る場合に用いられる工具として、柄の先端部に、先端方向に向かって漸次縮径しているテーパー状の左ネジの抜取ネジ部が設けられているネジ抜き用ビットがある。
【０００３】
このネジ抜き用ビットは、電動ドライバーや電動ドリル等の回転工具に取付けて使用可能で、係止穴が潰れたネジ頭部の中心部にあらかじめ下穴を穿設し、この下穴に抜取ネジ部の先を挿入した状態で、回転工具を上から押さえ付けながら、ネジ抜き用ビットをねじ切方向とは逆に回転させることによって抜取ネジ部を下穴にねじ込む。この抜取ネジ部はテーパー状になっているため下穴にねじ込むと、抜取ネジ部の表面と下穴内面との接触面積が大きくなることで摩擦抵抗が増加し、ネジがネジ抜き用ビットと供回りするようになる。こうなると、ネジは緩む方向に回転することになるため、ねじ込まれている部材から抜き取ることができるのである。
【特許文献１】実願２００２−３３９７号公報（第１〜２頁および第１図）
【発明の開示】
【発明が解決しようとする課題】
【０００４】
しかしながら、上記のネジ抜き用ビットは、ネジに下穴を穿設しなければならないため作業に手間がかかるし、また下穴用のドリルも別途必要になる。
【０００５】
本発明はこれらの問題点に鑑み、より簡単な作業でネジ回し用の係止穴が潰れたネジを抜き取ることができる便利なネジ抜き用ビットを提供することを目的としている。
【課題を解決するための手段】
【０００６】
請求項１記載のネジ抜き用ビットは、ネジ頭部のネジ回し用の係止穴が潰れたネジを抜き取るためのネジ抜き用ビットで、柄の先端部に、基端側から先端側に向かって漸次縮径しているテーパー状の先尖部を先端に備えたネジ抜取部を設け、このネジ抜取部の外周面に前記先尖部の先端から基端側に向かって、前記柄の長さ方向に延びる溝を形成して、この溝の内面と前記ネジ抜取部の外周面との交線を、前記ネジのねじ切方向とは逆方向の回転時に切削可能な切刃にし、この切刃に、前記ネジ抜取部が前記ネジ頭部の中心部に所定の深さまで切り込まれると前記係止穴の内面部に引掛かることによって前記ネジを供回りさせる切欠部を設けることを特徴としている。
【０００７】
請求項１のネジ抜き用ビットによれば、前記先尖部の先端を、前記係止穴が潰れた前記ネジ頭部の中心部に合わせ、前記ネジ抜き用ビットを上から押さえ付ながら前記ネジのねじ切方向とは逆方向に回転させて、前記ネジ抜取部を、前記切刃で切削しながら前記ネジ頭部に切り込むと、切り込み深さが所定の深さに達すれば、前記切欠部が前記係止穴の内面部に引掛かり前記ネジを供回りさせることができる。つまり、前記ネジを緩める方向に回転させることができるのである。したがって、前記ネジ頭部に下穴を穿設することなく前記ネジを抜き取ることが可能になるのである。
【０００８】
請求項２のネジ抜き用ビットは、前記ネジ抜取部の少なくとも前記先尖部の先端から前記切欠部までの外周面を、縦断面において両側が内側に向かって湾曲している先細りのテ
ーパー状に形成することを特徴としている。
【０００９】
請求項２のネジ抜き用ビットによれば、前記ネジ抜取部をネジ頭部に切り込んだ際に、切り込み深さが前記切欠部に達するまで、切り込み穴の径をあまり大きくすることなく切り込むことができるため、前記切欠部が前記係止穴の内面部に引掛かり易くなる。
【００１０】
請求項３のネジ抜き用ビットは、切刃になっている交線とは別の交線が、前記切刃の切削可能な回転方向とは逆方向に上り傾斜となるように溝を形成することを特徴としている。
【００１１】
請求項３のネジ抜き用ビットによれば、前記ネジ抜き用ビットのネジ抜取部をネジ頭部から取り外す際、前記ネジ抜き用ビットを、前記切刃の切削可能な回転方向とは逆方向に回転させると、前記別の交線を構成する前記溝の内面は、回転方向で緩むネジと同じ方向に傾斜した状態になっているため、前記ネジ頭部から簡単に取り外すことができる。
【発明の効果】
【００１２】
上記手段を以って為される本発明のネジ抜き用ビットは、ネジに下穴を穿設する必要がないため、その分の手間が省けて作業が簡単になり、手早く行なえるようになる。しかも下穴用のドリルが不要になるため、経済的で取り扱いも容易になる。
【発明を実施するための最良の形態】
【００１３】
本発明にかかるネジ抜き用ビットの実施形態を右ネジ用について、図１と図２とに基づいて説明する。図１の（ａ）はネジ抜き用ビット１の一側面図であり、（ｂ）はネジ抜き用ビットの底面図、即ち、先端側から見た図で、（ｃ）はネジ抜き用ビットの先端部の斜視図であり部分的に拡大した図である。
【００１４】
ネジ抜き用ビット１は特殊合金を用いて形成されており、横断面が正六角形の六角柱状に形成された柄２の先端部に、ネジ抜取部３が設けられているものである。
【００１５】
柄２の基端角部は面取りされており、基端面から先端側へ所定の距離だけ隔てた位置の外周面には、縦断面が内側に向かって円弧状に窪んだ形の溝を、柄２の周方向に形成して環状の係止部４を設けている。これによって、ネジ抜き用ビット１は回転工具に装着できるようになっている。
【００１６】
一方、ネジ抜取部３は横断面形状が円形に形成されており、縦断面において両側が内側に向かって緩やかに湾曲するように柄２を縮径し先細りのテーパー状に形成した後、同様に、縦断面において両側が内側に向かって緩やかに湾曲するような先細りのテーパー状にし、それから漸次縮径することによって勾配の急なテーパー状の外周面を有する先尖部５を設けている。
【００１７】
さらに、ネジ抜取部３の外周面には、先尖部５の先端から基端側に向かって、柄２の長さ方向に延びる横断面Ｌ字型の溝６が形成されている。この溝６の内面は、側方から見て左の面６ａが、柄２の横断面中心を通り、且つ柄２の長さ方向と同一方向に延びる軸ｘを含む面内に形成されるようになっている。右の面６ｂは、右の面６ａに対して直角に設けられ、先尖部５の先端中心を含み柄２の長さ方向に対して切刃７側に傾斜した面内に含まれるように形成されている。したがって、右の面６ａとネジ抜取部３の外周面との交線は、側方から見ると左上がりに傾斜した状態になっている。
【００１８】
このようにして設けられた溝６の左の面６ａと、ネジ抜取部３の外周面との交線が、ネジ抜き用ビット１を軸ｘを回転中心にした左回転時に切削可能となる切刃７になっている
。
【００１９】
切刃７には、ネジ抜取部３がネジ頭部の中心部に所定の深さまで切り込まれると係止穴の内面部に引掛かってネジを供回りさせる切欠部８が、切刃７の刃先が円弧状に窪んだ形になるように設けられている。こうして切欠部８を設けたことにより、切刃７は刃が欠けたような状態になっている。
【００２０】
この切欠部８を設けたことで、切刃７には傾斜面９が形成されている。この傾斜面９は、縦断面の形状が円弧状になっており、左の面６ａよりもわずかに左方向に傾いた形状になっている。
【００２１】
次に、このネジ抜き用ビット１を用いて木ネジを抜き取る場合について図２を参照しつつ説明する。図２の（ａ）は右ネジの木ネジが部材Ａにねじ込まれており、そのネジ頭部のプラスドライバーの先端部を係止するための係止穴（十字穴）が潰れている状態を示しており、（ｂ）はネジ抜き用ビットを回転工具に取付けて使用する場合の説明図で、（ｃ）は（ｂ）におけるＢ部の部分拡大図である。
【００２２】
図２（ａ）に示すように、木ネジ３０が部材Ａにねじ込まれており、そのネジ頭部３１の十字穴３２は潰れていてプラスドライバーで抜き取ることができない状態になっている。
【００２３】
まず、ネジ抜き用ビット１の柄２を、電動ドライバーや電動ドリル等の回転工具２０のチャック２０ａに挿入し、係止部４をチャック２０ａ内で係止させて、ネジ抜き用ビット１を回転工具２０に取付ける。こうしてチャック２０ａに取付けられたネジ抜き用ビット１は、その係止部４によって脱落や空回転をしないようになっている。
【００２４】
そして図２（ｂ）に示すように、ネジ抜き用ビット１の先尖部５の先端を、木ネジ３０のネジ頭部３１の中心部に一致させるとともに、ネジ抜き用ビット１の向きを木ネジ３０の向きと一致させた状態で回転工具２０を保持する。そして、回転工具２０を駆動してネジ抜き用ビット１を左回転させながら回転工具２０を上から押え付けて、ネジ頭部３１にネジ抜き用ビット１の先尖部５を押付け、ネジ抜取部３の切刃７で切り込んでいく。
【００２５】
そうすると図２（ｃ）に示すように、切り込み深さが切刃７の切欠部８まで達したところでそれ以上切り込まなくなる。これは、切欠部８を設けたことによって、切刃７の刃が欠けたような状態になっているからで、切欠部８の傾斜面９が十字穴３２の内面部に引掛った状態になる。
【００２６】
この際、ネジ抜取部３の外周面は、先尖部５の先端から切欠部８まで間が、縦断面において両側が内側に湾曲するようなテーパー状になっていることから、切り込み深さが切欠部８に達するまで、切り込み穴をあまり大きくすることなく切り込むことができ、切欠部８の傾斜面９が十字穴３２の内面部に引掛かり易い状態になっている。
【００２７】
そして、続けてネジ抜き用ビット１を回転させると、木ネジ３０がネジ頭部３１を切刃７に引掛けられた状態で、ネジ抜き用ビット１と供回りして左回転、つまり緩む方向に回転する。こうして、十字穴３２が潰れている木ネジ３０を、部材Ａから簡単に抜き取ることができるのである。
【００２８】
木ネジ３０を部材Ａから抜き取った後、ネジ抜取部３を木ネジ３０のネジ頭部３１から取り外す際、ネジ抜取部３は外周面にある右の面６ｂは側方から見て左上がり、即ち左ネジ方向に傾斜しているため、ネジ抜き用ビット１を木ネジ３０に対して右回転させると、
手早く簡単に木ネジ３０から取り外すことができる。
【００２９】
このようなネジ抜き用ビット１は、ネジ抜取部３の径の異なる３種類が用意されており、木ネジの径の大きさに合わせて使い分けできるようになっている。
【００３０】
なお本実施形態では、切欠部８を切刃７の中間部に位置する部分のみに設けているがこれに限らず、例えば、切刃７の先端側を所定長さだけ残し、それより基端側全てに切欠部を設けるようにしても良い。
【００３１】
また本実施形態では、ネジ抜取部３に溝６を１本形成し切刃７を１本だけ設けているが、溝を複数本形成することによって複数本の切刃を設けるようにすることもできる。
【００３２】
さらに、柄２を六角柱の形状に形成しているが、この形に限定されるものではなく、例えば四角柱等の形状に形成しても良い。そして、本実施形態ではネジ抜き用ビット１を回転工具に取付けて使用しているが、タップハンドルのような固定具に取付けて手動で抜き取るようにしても良い。この場合、回転工具を必要としなため、電源等が近くにない場合には有効で、柄に回転工具用の係止部が不要になるので製作も簡略化できる。
【図面の簡単な説明】
【００３３】
【図１】（ａ）は、ネジ抜き用ビットの一側面図である。（ｂ）は、ネジ抜き用ビットの底面図である。（ｃ）は、ネジ抜き用ビットのネジ抜取部を示す部分拡大斜視図である。
【図２】（ａ）は部材にねじ込まれた木ネジの十字穴が潰れている状態を示す説明図である。（ｂ）はネジ抜き用ビットの使用状態を示す説明図で、木ネジのネジ頭部の一部を断面で表している。（ｃ）は（ｂ）におけるＢ部の部分拡大図である。
【符号の説明】
【００３４】
１  ネジ抜き用ビット
２  柄
３  ネジ抜取部
４  係止部
５  先尖部
６  溝
６ａ  左の面
６ｂ  右の面
７  切刃
８  切欠部
９  傾斜面
【図１】
2006102894.tif 000003
【図２】
2006102894.tif 000004